【事件の表示】
　特許第３２２８０６１号「自動販売機」の請求項１に係る特許に対する特許異議の申立てについて、次のとおり決定する。
【結　論】
　訂正を認める。
　特許第３２２８０６１号の請求項１に係る特許を維持する。
【理　由】
１．訂正の適否
(1)訂正の内容
・訂正事項ａ−１
　特許請求の範囲の請求項１において、
　「押圧部材」とある記載を、「内扉」と訂正する。
・訂正事項ａ−２
　明細書の段落【０００５】および【００１０】中の「押圧部材」とある記載を、「内扉」と訂正する。
・訂正事項ａ−３
　明細書の段落【０００８】中の「本体ケース側の押圧部材としての内扉２」とある記載を、「本体ケース側の内扉２」と訂正する。
・訂正事項ｂ
　明細書の段落【０００３】中の「払い出させれた」とある記載を、「払い出された」と訂正する。
　　
(2)訂正の目的の適否、新規事項の有無及び拡張・変更の存否
　上記訂正事項ａ−１は、「押圧部材」なる部材を、明細書に記載された実施例である「内扉」と特定するものであるから、特許請求の範囲の減縮を目的とした訂正に該当する。
　上記訂正事項ａ−２〜３は、上記訂正事項ａ−１との整合を図るものであるから、明りょうでない記載の釈明を目的とした訂正に該当する。
　上記訂正事項ｂは、明らかな誤記を訂正するものであるから、誤記の訂正を目的とした訂正に該当する。
　そして、上記いずれの訂正事項も、願書に添付した明細書又は図面に記載した事項の範囲内のものであって、また、特許請求の範囲を拡張し、又は変更するものでもない。
　　
(3)むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　　
２．特許異議の申立てについての判断
(1)本件発明
　上記のとおり、訂正は認められるから、本件特許の請求項１に係る発明（以下、「本件発明」という。）は、訂正明細書に記載された次のとおりのものである。
「外扉に設置される硬貨識別器の回収用払出口から払い出された硬貨を回収用集金箱に案内する回収シュート、及び前記硬貨識別器の釣銭払出口から払い出された硬貨を釣銭返却口に案内する返却シュートを備える自動販売機において、前記返却シュートを前後方向に回動可能に支持するとともに、外扉の閉成時には前記返却シュートが本体ケース側の内扉に押圧されて前方の回動位置に回動し、外扉の開放時には前記返却シュートがその自重により後方の回動位置に回動するよう前記返却シュートの回動支点を定め、前記前方の回動位置では返却シュートの硬貨入口及び出口がそれぞれ前記釣銭払出口及び釣銭返却口に臨み、前記後方の回動位置では返却シュートの硬貨入口が前記釣銭払出口に臨み出口が前記集金箱に連通することを特徴とする自動販売機。」
　　
(2)当審で通知した取消理由の理由１（特許法第１７条第２項違反）について
　上記取消理由の理由１は、上記訂正の結果、解消された。
　　
(3)当審で通知した取消理由の理由２（特許法第２９条第２項）について
(3-1)異議申立人提出の証拠及び取消理由通知で引用された刊行物に記載された発明
ア．刊行物１（特開平７−８５３４０号公報、異議申立人の提出した甲第２号証の１）
　上記刊行物１には、「扉に設置されるコインメカニズムの回収硬貨排出口から払い出された硬貨を金庫に案内するシュータ、及び前記コインメカニズムの釣銭排出口から払い出された硬貨を返却口に案内する回動板を備える自動販売機において、前記回動板は、前後方向に回動可能に支持されるとともに、捩りコイルばねによって前方向に付勢されており、扉の閉成時には前記回動板はケースの固定片に押圧され、捩りコイルばねの前方向への付勢力に抗して、後方の回動位置に回動し、扉の開放時には前記回動板は、捩りコイルばねの前方向への付勢力によって、前方の回動位置に回動するようになっており、回動板の前記後方の回動位置では、釣銭排出口と返却口を連通させ、回動板の前記前方の回動位置では、釣銭排出口と金庫とを連通させる、自動販売機」の発明が記載されている。
　　
イ．刊行物２（特開平４−７４２９３号公報、異議申立人の提出した甲第３号証の１）
　上記刊行物２には、「硬貨処理装置から払い出された硬貨を硬貨取出口に案内する通路切換部材を備える自動販売機において、前記通路切換部材を前後方向に回動可能に支持するとともに、前記通路切換部材が手動により前方の回動位置に回動し、また前記通路切換部材の係止状態を手動により解除すると、その自重により後方の回動位置に回動するような位置に軸杆が定められ、前記前方の回動位置では前記通路切換部材は硬貨取出口に臨み、前記後方の回動位置では前記通路切換部材は回収容器に連通する、自動販売機。」の発明が記載されている。
　　
ウ．刊行物３（特開平５−１３５２６４号公報、異議申立人の提出した甲第２号証の２）
　上記刊行物３には、「硬貨処理装置から払い出された硬貨を硬貨取出口に案内する硬貨受部を備える自動販売機において、硬貨通路切換装置とバネの付勢力により、カバーの開閉に連動させて硬貨受部を硬貨取出口または集金庫へと切り換える、自動販売機」の発明が記載されている。
　　
エ．刊行物４（特開平５−２６６３２７号公報、異議申立人の提出した甲第３号証の２）
　上記刊行物４には、「硬貨処理部から払い出された硬貨を釣銭返却口に案内する回転シュートを備える自動販売機において、前記回転シュートを前後方向に回動可能に支持するとともに、手動または扉の閉動作により後方の回動・係止位置での係止状態が解除されると、前記回転シュートの自重により前方の回動位置に回動・係止するような位置に回転軸が定められ、前記後方の回動・係止位置では、前記回転シュートは硬貨回収用金庫に臨み、前記前方の回動・係止位置では前記回転シュートは釣銭返却口に臨む、自動販売機。」の発明が記載されている。
　
オ．刊行物５（実願平２−６５２５５号（実開平４−２４１８１号）のマイクロフィルム、異議申立人の提出した甲第３号証の３）
　上記刊行物５には、「硬貨識別装置から払い出された硬貨を硬貨返却口に案内するつり銭シュートを備える自動販売機において、ラッチとスプリングの機構により、つり銭シュートを硬貨返却口または集金箱へと切り換える、自動販売機」の発明が記載されている。
　　
(3-2)対比・判断
　本件発明と上記刊行物１に記載された発明とを対比すると、後者の「扉」、「コインメカニズム」、「回収硬貨排出口」、「金庫」、「シュータ」、「釣銭排出口」、「返却口」、「回動板」は、その機能と構造からみて、前者の「外扉」、「硬貨識別器」、「回収用払出口」、「回収用集金箱」、「回収シュート」、「釣銭払出口」、「釣銭返却口」、「返却シュート」に、それぞれ相当するものであるから、両者は、「外扉に設置される硬貨識別器の回収用払出口から払い出された硬貨を回収用集金箱に案内する回収シュート、及び前記硬貨識別器の釣銭払出口から払い出された硬貨を釣銭返却口に案内する返却シュートを備える自動販売機において、前記返却シュートを前後方向に回動可能に支持するとともに、外扉の閉成時には返却シュートが一方の回動位置に回動し、外扉の開放時には返却シュートが他方の回動位置に回動するよう返却シュートの回動支点を定め、前記一方の回動位置では返却シュートの硬貨入口及び出口がそれぞれ前記釣銭払出口及び釣銭返却口に臨み、前記他方の回動位置では返却シュートの硬貨入口が前記釣銭払出口に臨み出口が前記集金箱に連通する自動販売機。」である点で一致し、下記の点で相違しているものと認める。
　「外扉の開閉に連動させて返却シュートを切り換える機構について、本件発明においては、外扉の閉成時には返却シュートが本体ケース側の内扉に押圧されて前方の回動位置に回動し、外扉の開放時には返却シュートがその自重により後方の回動位置に回動するよう返却シュートの回動支点を定めた構成としたのに対し、上記刊行物１に記載された発明においては、捩りコイルばねの付勢力によって回動板（返却シュート）は前方向に付勢されており、扉の閉成時には回動板はケースの固定片に押圧され、捩りコイルばねの前方向への付勢力に抗して後方の回動位置に回動し、扉の開放時には前記回動板は、捩りコイルばねの前方向への付勢力によって前方の回動位置に回動するように構成されている」点。
　　
　そこで、上記相違点について検討すると、上記刊行物２〜５に記載された発明も「外扉の開閉に連動させて返却シュートを切り換える機構について、外扉の閉成時には返却シュートが本体ケース側の内扉に押圧されて前方の回動位置に回動し、外扉の開放時には返却シュートがその自重により後方の回動位置に回動するよう返却シュートの回動支点を定めた」構成を備えたものではなく、また、上記刊行物２〜５の記載から上記構成が自明な事項であるともいえない。
　なお、刊行物２に記載された「通路切換部材」および刊行物４に記載された「回転シュート」は、その自重を利用して通路の切り換えを行っているものの、当該部材の切り換えを行うに際しては、作業者が手動によりその係止状態を解除する必要があるものであって、本件発明のように「外扉の開閉に連動させて返却シュート前後方向に回動するようにしたものにおいて、その返却シュートの切り換えを返却シュート自身の自重のみで行える位置に返却シュートの回動支点を定めた」構成を用いて作業者による手動操作を省力できるようにしたものではない。
　そして、本件発明は上記の構成を有することにより、「自動販売機の稼働時には前方に回動して硬貨出口を釣銭返却口に臨ませた返却シュートは、外扉を開けることによって返却シュート自身の自重により後方へ回動し、出口を回収用集金箱に連通させる。」（段落【０００６】）という本件明細書に記載の作用効果を奏するもの、いいかえれば、作業者による手動操作を省力できる作用・効果につき、上記刊行物１に記載された発明と比較して、より簡易な構成により実現できるものである。
　したがって、本件発明は、上記刊行物１〜５に記載された発明に基いて当業者が容易に発明をすることができたものとすることはできない。
　　
(4)むすび
　以上のとおりであるから、特許異議申立の理由及び証拠によっては本件発明についての特許を取り消すことはできない。
　また、他に本件発明についての特許を取り消すべき理由を発見しない。
　したがって、本件発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年７月２３日（２００３．７．２３）
【訂正の要旨】
審決（決定）の【理由】欄参照。
（５４）【発明の名称】
自動販売機
（５７）【特許請求の範囲】
　【請求項１】外扉に設置される硬貨識別器の回収用払出口から払い出された硬貨を回収用集金箱に案内する回収シュート、及び前記硬貨識別器の釣銭払出口から払い出された硬貨を釣銭返却口に案内する返却シュートを備える自動販売機において、前記返却シュートを前後方向に回動可能に支持するとともに、外扉の閉成時には前記返却シュートが本体ケース側の
内扉
【発明の詳細な説明】
　【０００１】
　【産業上の利用分野】
　この発明は、硬貨識別器に釣銭用として収納されている硬貨を回収する場合に回収作業が容易に行える自動販売機に関する。
　【０００２】
　【従来の技術】
　自動販売機は浅い箱形に形成された外扉内に硬貨識別器を備え、又外扉前面に釣銭返却口が設けられる。前記硬貨識別器には釣銭払出口と、硬貨識別器内に釣銭用として収容しきれなくなった硬貨を払い出す回収用払出口とがある。そして釣銭払出口から払い出された硬貨を釣銭返却口に案内する返却シュート，及び回収用払出口から払い出された硬貨を、識別器下方に設けられた回収用集金箱に案内する回収シュートが別個に設けられている。
　【０００３】
　【発明が解決しようとする課題】
　ところで自動販売機のオペレータが売上げの確認等のために硬貨識別器内の硬貨を回収する場合に、従来の自動販売機では硬貨識別器の回収釦を押すことにより、硬貨識別器に釣銭用として収納されている硬貨が一旦釣銭返却口に払い出される。従ってオペレータは、集金箱の硬貨を回収する外に、釣銭返却口に
払い出された
　【０００４】
　この発明は機内の硬貨を回収する場合に硬貨識別器に釣銭用として収容されている硬貨を極めて容易に回収できる自動販売機を提供することを目的とする。
　【０００５】
　【課題を解決するための手段】
　上記目的を達成するために、この発明によれば外扉に設置される硬貨識別器の回収用払出口から払い出された硬貨を回収用集金箱に案内する回収シュート、及び前記硬貨識別器の釣銭払出口から払い出された硬貨を釣銭返却口に案内する返却シュートを備える自動販売機において、前記返却シュートを前後方向に回動可能に支持するとともに、外扉の閉成時には前記返却シュートが本体ケース側の
内扉
　【０００６】
　【作用】
　自動販売機の稼働時には前方に回動して硬貨出口を釣銭返却口に臨ませた返却シュートは、外扉を開けることによって返却シュート自身の自重により後方へ回動し、出口を回収用集金箱に連通させる。従って、硬貨識別器の回収釦を押すことにより、硬貨識別器内の硬貨が全て集金箱に払い出される。硬貨の回収作業に集金箱を取り出すだけで全ての硬貨が極めて簡単に回収できる。
　【０００７】
　【実施例】
　この発明の実施例を図１ないし図４に基づいて説明する。図において、１は自動販売機の本体ケースの前面に設けられた浅い箱形の外扉、２は前記ケースに区画形成された断熱室の前面を開閉する内扉である。前記外扉１は、図示しない商品販売用押釦や硬貨投入口等と共に外扉前面に開口しこの開口に臨んでその内側に釣銭受け３ａを有する釣銭返却口３が前面に配設される。又箱形に形成されたその内部に硬貨識別器４，及び識別器下方に回収用集金箱５が設置され、硬貨識別器４と集金箱５との間には、次の如く構成される回収シュート６及び返却シュート７が設けられる。即ち回収シュート６は入口６ａが硬貨識別器４の回収用払出口４ａに対向し、出口６ｂが集金箱５に臨むように配置され、かつ途中で胴部を横に張り出させ上向きの開口６ｃが形成される。一方返却シュート７は上下に２分割して構成され、上部返却シュート７Ａは側壁を回収シュート６と一体にかつ回収シュート６との間に隔壁を設けて形成され、上面開口が返却シュート７の硬貨入口７ａを形成して硬貨識別器４の釣銭払出口４ｂに対向し、下面開口が下部返却シュート７Ｂの上面開口にかつ上面開口よりはみ出さないように臨んでいる。前記下部返却シュート７Ｂは前後に回動可能に後側上端部をピン７１を介して上部返却シュート７Ａに支持され、背面上にピン７１よりも後方に突出する突出片７２を有し、又下面開口が返却シュート７の硬貨出口７ｂをなしている。更に前記出口７ｂは下部返却シュート７Ｂを前方へ回動させれば釣銭受け３ａに臨み、後方へ回動させれば前記回収シュート６の開口６ｃに向かい合う。
　【０００８】
　前述の構成において、自動販売機の外扉１の閉成時には、図１に示すように返却シュート７は突出片７２が
本体ケース側の内扉２
　【０００９】
　一方前記オペレータが機内の硬貨を回収する場合には、図２に示すように外扉１を開けると返却シュート７は突出片７２が内扉３から離れ、下部シュート７Ｂがピン７１を支点にシュート自体の重さで、後下端が回収シュート６の開口６ｃの後縁に当接する位置まで後方に回動し、出口７ｂが開口６ｃと対向し、開口６ｃから下方の回収シュート６を介して集金箱５に連通する。従って回収釦を押して硬貨識別器４の払出口４ｂから払い出された硬貨１０は、返却シュート７に案内されて集金箱５に集まる。従って硬貨の回収は集金箱５を取り出し、集金バッグに硬貨を移し替えるだけで回収が完了する。回収後は外扉１を閉成するだけで返却シュート７を元の状態に復帰させることができる。
　【００１０】
　【発明の効果】
　この発明によれば、外扉に設置される硬貨識別器の回収用払出口から払い出された硬貨を回収用集金箱に案内する回収シュート、及び前記硬貨識別器の釣銭払出口から払い出された硬貨を釣銭返却口に案内する返却シュートを備える自動販売機において、前記返却シュートを前後方向に回動可能に支持するとともに、外扉の閉成時には前記返却シュートが本体ケース側の
内扉
【図面の簡単な説明】
　【図１】
　この発明の実施例を示す自動販売機の稼働時における発明要部の縦断面図
　【図２】
　図１に示す発明要部の硬貨回収時における縦断面図
　【図３】
　図１に示す発明要部の正面図
　【図４】
　図１に示す発明要部の回収シュート及び返却シュートの斜視図
　【符号の説明】
　　１　　外扉
　　３　　釣銭返却口
　　４　　硬貨識別器
　　５　　集金箱
　　６　　回収シュート
　　７　　返却シュート
　１０　　硬貨
　７２　　突出片